(57)【要約】      （修正有）【課題】遮蔽素子により美観効果を達成し、多功能使用の目的を達成する多功能クローゼットを提供する。【解決手段】クローゼット本体１の、内側の所定高度上に横向けに衣類を掛ける少なくとも一つの棒２６を固設し、且つ、クローゼット本体内に形成される縦の深さは、棒に掛ける衣類が形成する厚さよりも大きい。ドレッサーはクローゼット本体の一側に隣接され、内に鏡３７を有して身だしなみを整えることができ、且つ、縦の深さと外側の幅と高度が丁度、クローゼット本体に相対して、クローゼット全体の空間を薄型化設計にする。【選択図】図３
0003146689.tif 000002
【実用新案登録請求の範囲】
【請求項１】
多功能クローゼットであって、主に、二側板からなり、前記側板周側は、それぞれ、頂板、底板、及び、背板を結合し、前端面に開口を有する収納室を形成し、前記収納室は、主に、
所定高度上で、横向けに、衣類を掛ける少なくとも一つの棒を固設し、且つ、内に形成される縦の深さは、棒に掛ける衣類が形成する厚さよりも大きいクローゼット本体と、
前記クローゼット本体の一側に隣接され、内に、鏡を有して身だしなみを整えることができ、且つ、縦の深さと外側の幅と高度が丁度、前記クローゼット本体に相対するドレッサーと、
主に、軌道と遮蔽物を有し、前記軌道が前記クローゼット本体、及び、ドレッサー上端に固設され、前記軌道上に前記遮蔽物を設置して、前記クローゼット本体と前記ドレッサーの前端面の開口を遮蔽する遮蔽素子と、
に区分されることを特徴とする多功能クローゼット。
【請求項２】
前記クローゼット本体の側板から形成される外側の幅が１〜４５センチで、高度は５０センチより大きいことを特徴とする請求項１に記載の多功能クローゼット。
【請求項３】
前記クローゼット本体と前記ドレッサーは分離設置され、相隣する間は、枢接素子により結合し、前記枢接素子により、前記ドレッサーは、設置空間によって、前記クローゼット本体との間の設置角度を調整することができ、且つ、前記クローゼット本体と前記ドレッサーは、少なくとも一側が照明装置を有し、前記クローゼット本体の下端は更に靴箱を設置することを特徴とする請求項１に記載の多功能クローゼット。
【請求項４】
前記クローゼット本体のもう一側に置物棚を設置し、前記置物棚は、主に、少なくとも一つの側板からなり、前記側板周側に、それぞれ、頂板、底板、及び、背板を結合し、枢接素子により、前記置物棚の側板と結合して、前端面が開口を有する置物室を形成し、前記置物室内の背板上に複数のフックを有して、アクセサリーを掛けることができ、且つ、前記置物棚内に形成される縦の深さ、及び、外側幅と高度は前記クローゼット本体に相対し、前記枢接素子は、前記クローゼット本体が、設置空間によって、必要な角度に調整できるようにし、また、前記置物棚は照明装置を設置することを特徴とする請求項１に記載の多功能クローゼット。
【請求項５】
前記ドレッサー下端の側板と前記鏡の隅に少なくとも一つの置物板を設置することを特徴とする請求項１に記載の多功能クローゼット。
【考案の詳細な説明】
【技術分野】
【０００１】
本考案はクローゼットに関し、特に、空間設計を有する多功能クローゼットに関する。
【背景技術】
【０００２】
図１は一般の衣類を収納するクローゼットを示し、主に、本体１０からなり、本体１０に設置された二片の引き戸１１は、軌道１２に沿設されて、本体１０の開閉が可能である。本体１０内上端は、服を掛ける棒１３を固設して、衣類１００をハンガー１０１に掛けた後、ハンガー１０１を棒１３に掛け、衣類１００の皺の発生を防止し、また、衣類の選択が容易であると共に、本体１０下端に組設された置物棚１４に衣類が収納でき、置物棚１４は複数の引き出し１４１を有し、その他の物品の整理に便利である。
【０００３】
図２で示されるように、ハンガー１０１は棒１３に吊るす必要があるので、クローゼットの内部の高さａが衣類１００の長さｂよりも高くなければならないので、クローゼットの体積が大きくなり、空間を占有し、重量が重くなり、分解して運搬することはできるが、素子全体が大きく、組み立てに時間がかかる。
【考案の開示】
【考案が解決しようとする課題】
【０００４】
本考案の目的は、クローゼットを薄くした薄型設計で、クローゼットの体積を小さくし、空間を占有せず、配置空間と運送の負担を減少させるクローゼット構造を提供することにある。
【課題を解決するための手段】
【０００５】
本考案のクローゼットは、壁側面に固定され、クローゼット本体、ドレッサー、置物棚、及び、遮蔽素子、からなる。クローゼット本体内側の所定高度上に、横向けに、衣類を掛ける少なくとも一つの棒を固設し、且つ、クローゼット本体内に形成される縦の深さは、棒に掛ける衣類が形成する厚さよりも大きい。ドレッサーは、クローゼット本体の一側に隣接され、内に、鏡を有して身だしなみを整えることができ、且つ、縦の深さと外側の幅と高度が丁度、クローゼット本体に相対して、クローゼット全体の空間を薄型化設計にする。また、遮蔽素子により、美観効果を達成し、多功能使用の目的を達成する。
【考案の効果】
【０００６】
本考案のクローゼット構造は薄型設計で、クローゼットの体積を小さくし、空間を占有せず、配置空間と運送の負担を減少させることができる。
【考案を実施するための最良の形態】
【０００７】
図３は本考案の第一実施例の組み合わせ立体図で、クローゼットは、壁側面に固定され、クローゼット本体２０、ドレッサー３０、置物棚４０、及び、遮蔽素子５０、からなる。
【０００８】
クローゼット本体２０は、主に、二つの縦方向に設置された細長い側板２１からなり、クローゼット本体２０の側板２１から形成される外側の幅ｄが１〜４５センチで、高度Ｃは５０センチより大きく、丁度、天井に届く。且つ、側板２１周側は、それぞれ、頂板２２、底板２３、及び、背板２４を結合し、クローゼット本体２０は、前端面に開口を有する収納室２５を形成し、側板２１間の適当な高度上で、横向けに、衣類３００を吊るす二つの棒２６を設置し、棒２６と頂板２２間は適当な距離を有して、棒２６に衣類３００が掛けられる。また、棒２６中心に、それぞれ、固定部２７を有して、背板２４上に固定し、クローゼット本体２０の収納室２５下端と側板２１、及び、底板２３間に、靴箱２８を結合する。靴箱２８内に置放空間を分割して、多くの靴を収納でき、靴箱２８は門板２８１を有し、収納室２５の頂板２２に相対する箇所に照明装置２９を設置する。本考案の好ましい実施例の照明装置はランプユニットである。
【０００９】
図４で示されるように、クローゼット本体２０の収納室２５内に形成される深さｅは、棒２６にかけられる衣類３００の厚さより大きい。
【００１０】
図３と図４で示されるように、ドレッサー３０は、クローゼット本体２０と分離設置され、枢接素子３１により、クローゼット本体２０一側に枢固され、設置空間により、クローゼット本体２０間の設置角度を移動することができ、本考案の好ましい実施例中、ドレッサー３０は、クローゼット本体２０で１８０度に設置され、ドレッサー３０は、主に、二つの縦向けに設置された側板３２を有し、側板３２は、クローゼット本体２０の側板２１に相対設置され、且つ、側板３周側間に、それぞれ、頂板３３、底板３４、及び、背板３５を結合し、ドレッサー３０内の前端面に、開口を有する鏡台室３６を形成し、鏡台室３６は背板３５に相対し、鏡３７を設置する。鏡台室３６内の深さｆは、本体ユニット２０の収納室２５の深さｅに相対し、外側幅と高度は本体２０に相対する。また、ドレッサー３０の鏡台室３６下端の側板３２の適当な高度上と鏡３７の隅に、置物板３８を設置し、鏡台室３６内の頂板３３側に照明装置３９を設置し、スイッチ３９１はドレッサー３０の側板３２の外側上に設置されて、照明装置２９、３９と連接する。
【００１１】
置物棚４０は、枢接素子４１によりクローゼット本体２０のもう一側に枢固され、設置空間により、クローゼット本体２０間の結合角度を移動することができ、本考案の好ましい実施例中、置物棚４０は、クローゼット本体２０と１８０度で平行設置され、主に、二つの縦方向に設置された側板４２を有し、側板４２は、クローゼット本体２０の側板２１に相対し、且つ、側板３２周側間に、それぞれ、頂板４３、底板４４、及び、背板４５を結合し、置物棚４０内は前端面に開口を有する置物室４６を形成し、且つ、置物室４６内に形成された深さｇは、クローゼット本体２０の収納室２５の縦の深さｅに丁度相対し、外側の幅と高度は、クローゼット本体２０に相対し、また、置物室４６の背板４５上に、複数のフックを設置し、各フックは、二列のフック柱４７を設置し、ネックレス４７１やイヤリング４７２等の小物を掛けることができる。フック柱４７下方にはリング箱４６１を設置し、指輪４７３等の収納に便利である。また、置物室４６内の頂板４３側に、照明装置４８を設置し、本考案の好ましい実施例の照明装置４８はランプユニットで、照明装置４８はスイッチ３９１一端を連接する。
【００１２】
遮蔽素子５０は、クローゼット本体２０、ドレッサー３０、及び、置物棚４０の前端面開口を遮蔽し、主に、軌道５１を有し、クローゼット本体２０、ドレッサー３０、及び、置物棚４０の頂板２２、３３、４３上端に沿って平行に延伸し、遮蔽物５２を軌道５１上に掛けることができ、本考案の好ましい実施例中、遮蔽物５２はカーテンで、引き戸に設計してもよい。
【００１３】
更に本考案の構造の特徴、運用技術手段、及び、達成される効果を理解するため、本考案の使用する方式を説明する。
【００１４】
図３と図４を参照すると、クローゼットを設置する時、まず、クローゼット本体２０とドレッサー３０、及び、置物棚４０は、枢接素子３１、４１により枢固し、クローゼット本体２０を平行な壁面に接近させ、空間長さが十分な時、ドレッサー３０、及び、置物棚４０は、枢接素子３１、４１を１８０度で平行に、クローゼット本体２０の両側に枢固し、遮蔽素子５０がクローゼット本体２０、ドレッサー３０、及び、置物棚４０上に組設されて、遮蔽し、組み立てが完成する。使用者は、ハンガー２００のフック部分２０１を一側に湾曲させ、フック部分２０１とハンガー２００は、衣類３００のフック部２０２と垂直で、ハンガー１００が棒２６に掛けられ、且つ、ハンガー１００に掛けられる衣類は相互に重畳して斜向設置されて、クローゼットの縦深さ空間縮小の目的を達成する。クローゼット本体２０下方の靴箱２８により靴を収納し、ドレッサー３０の鏡台３７により身だしなみを整え、置物箱３８により物品を収納し、置物棚４９のフック柱４７、及び、リング箱４６１により、それぞれ、小物を掛けたり、指輪４７３を収納したりでき、夜間時には、スイッチ３９１により照明装置２９、３９、４８を駆動して照明を提供し、平時は、遮蔽素子５０によりクローゼット本体２０、ドレッサー３０、及び、置物棚４０外側面を遮蔽して、防塵、美観目的を達成する。
【００１５】
図５は本考案の第二実施例の組み合わせ立体図で、図から分かるように、その構造と功能は本考案の好ましい実施例と相同で、遮蔽素子５０の軌道５１がクローゼット本体２０、ドレッサー３０、及び、置物棚４０の収納室２５、鏡台室３７、及び、置物室４６の開口周内に設置され、遮蔽物５２は引き戸である。
【００１６】
図６は本考案の第三実施例の組み合わせ断面図で、図から分かるように、その構造と功能は本考案の好ましい実施例と相同で、クローゼットを壁の隅に設置する時、ドレッサー３０は枢接素子３１により９０度で、クローゼット本体２０の一側に枢固され、クローゼット本体２０のもう一側は、枢接素子４１により１８０度で置物棚４０に平行に枢固される。  
【００１７】
本考案の特徴から以下のような効果が達成される。１．クローゼット本体、ドレッサー、及び、置物棚は設置空間により、設置角度を移動することができ、且つ、クローゼット本体、ドレッサー、置物棚が形成される縦の深さは、棒に吊るされた衣類が形成する厚さより大きく、クローゼットの縦深さ空間を縮小し、クローゼットが薄型化し、空間を占有せず、また、構成素子が簡単で、組み立てと運搬に便利である。２．本考案は、クローゼット本体下方の靴箱により、複数の靴を収納でき、ドレッサーの鏡により身だしなみと整え、置物板により物品を放置し、置物棚のフックにより、イヤリング、指輪、ネックレスなどのアクセサリーを収納することができ、多功能収納目的を達成すると共に、夜間時に、スイッチを起動して、照明装置を制御して、照明を提供し、平時には、遮蔽素子によりクローゼット本体、ドレッサー、及び、置物棚外側面を遮蔽して、防塵、及び、美観の目的を達成する。
【図面の簡単な説明】
【００１８】
【図１】公知のクローゼットの立体図である。
【図２】図１のクローゼットの上視図である。
【図３】本考案の第一実施例組み合わせ立体図である。
【図４】本考案の第一実施例の上視図である。
【図５】本考案の第二実施例の組み合わせ立体図である。
【図６】本考案の第三実施例の上視図である。
【符号の説明】
【００１９】
公知技術：
１０        本体
１１        引き戸
１２        軌道
１３        棒
１００      衣類
１０１      ハンガー
１４        置物棚
１４１      引き出し
本考案：
２０       クローゼット本体
２１       側板
２２       頂板
２３       底板
２４       背板
２５       収納室
２６       棒
２７       固定部
２８       靴箱
２８１     門板
２９       照明装置
３０       ドレッサー
３１、４１ 枢接素子
３２       側板
３３       頂板
３４       底板
３５       背板
３６       鏡台室
３７       鏡
３８       置物板
３９       照明装置
３９１     スイッチ
４０       置物棚
４１       枢接素子
４２       側板
４３       頂板
４４       底板
４５       背板
４６       置物室
４６１     リング箱
４７       フック柱
４７１     ネックレス
４７２     イヤリング
４７３     指輪
４８       照明装置
４９       置物棚
５０       遮蔽素子
５１       軌道
５２       遮蔽物
２００     ハンガー
２０１     フック部分
２０２     フック部
３００     衣類
【図１】
0003146689.tif 000003
【図２】
0003146689.tif 000004
【図３】
0003146689.tif 000005
【図４】
0003146689.tif 000006
【図５】
0003146689.tif 000007
【図６】
0003146689.tif 000008